(57)【要約】      （修正有）【課題】データ、動作パラメタ、ソフトウェアコマンドを必要に応じ伝達可能なデータキャリア機能を有するバッテリを提供する。【解決手段】バッテリーのようなキャリアで、このバッテリーおよびバッテリーの電力供給対象機器双方のデータ、動作パラメータ、および／またはソフトウェアの相関的日付またはバージョンを判断するため、充電器もしくは充電回路、または機器もしくは放電回路のメモリーにクエリを行い、更新されたデータ、動作パラメータ、および／またはソフトウェアを機器に与えるか、または、バッテリーのメモリーを更新するよう、および／または更新されたデータ、動作パラメータおよび／またはソフトウェアを、他のバッテリーまたは機器に更に配布するよう、より新しい日付のデータ、動作パラメータおよび／またはソフトウェアを、機器から取り出す。【選択図】図７
2019037130.tif 000002
【特許請求の範囲】
【請求項１】
データキャリアとして使用されるバッテリーであって、該バッテリーとは別のバッテリー
であってデータキャリアとして使用されるバッテリーに関連するメモリーおよび該データ
キャリアを受容するように構成された別の装置に関連するメモリーのデータ、動作パラメ
ータおよび／またはソフトウェアコマンドを伝染式に更新するために使用されることを特
徴とするバッテリーであって、
データ、動作パラメータおよび／またはソフトウェアコマンドの第１のセットであって、
第１の日付またはバージョンに関連することを特徴とするデータ、動作パラメータおよび
／またはソフトウェアコマンドの第１のセットを保存しているバッテリーのメモリーと、
前記バッテリーを受容するように構成された装置のプロセッサおよびメモリーと交信する
ための通信インターフェースであって、該装置のメモリーは、データ、動作パラメータお
よび／またはソフトウェアコマンドの第２のセットを保存しており、データ、動作パラメ
ータおよび／またはソフトウェアコマンドの第２のセットは第２の日付またはバージョン
と関連することを特徴とする通信インターフェースと、
前記バッテリーのメモリーおよび前記通信インターフェースと動作可能に接続されたバッ
テリーのプロセッサであって、
前記装置のプロセッサにクエリを行って、該装置のメモリーに保存されたデータ
、動作パラメータおよび／またはソフトウェアコマンドの第２のセットの第２の日付また
はバージョンを取り出し、
前記装置のメモリーに保存されているデータ、動作パラメータおよび／またはソ
フトウェアコマンドの第２のセットの第２の日付またはバージョンと前記バッテリーのメ
モリーに保存されているデータ、動作パラメータおよび／またはソフトウェアコマンドの
第１のセットの第１の日付またはバージョンと比較し、
前記第１の日付またはバージョンが前記第２の日付またはバージョンよりも新し
い場合、前記バッテリーのメモリーに保存されているデータ、動作パラメータおよび／ま
たはソフトウェアコマンドの第１のセットを、前記装置のメモリーにアップロードするこ
とを特徴とするバッテリーのプロセッサとを含み、
前記装置のプロセッサは、データ、動作パラメータおよび／またはソフトウェアコマンド
の第２のセットの第２の日付またはバージョンが前記バッテリーのメモリーに保存されて
いるデータ、動作パラメータおよび／またはソフトウェアコマンドの第１のセットの第１
の日付またはバージョンよりも新しい場合、該バッテリーのメモリーにデータ、動作パラ
メータおよび／またはソフトウェアコマンドの第２のセットをダウンロードして該バッテ
リーのメモリーを更新して、該バッテリーのメモリーに保存されているデータ、動作パラ
メータおよび／またはソフトウェアコマンドの第１のセットを、該装置のメモリーからダ
ウンロードしたデータ、動作パラメータおよび／またはソフトウェアコマンドの第２のセ
ットで置き換える
ことを特徴とするバッテリー。
【請求項２】
前記バッテリーを受容するように構成された装置がバッテリー充電器である
ことを特徴とする請求項１に記載のバッテリー。
【請求項３】
前記バッテリーを受容するように構成された装置が該バッテリーからの電力供給を受ける
装置である
ことを特徴とする請求項１に記載のバッテリー。
【請求項４】
バッテリーとしても機能するデータキャリアであって、該データキャリアのメモリーに保
存されている情報を、バッテリーとしても機能する別のデータキャリアのメモリーおよび
該データキャリアを受容するように構成された装置のメモリーに、伝染式に配布させるこ
とを特徴とするデータキャリアを使用する方法であって、
データキャリアを、該データキャリアの電力供給対象として構成された装置に挿入し、
データキャリアのメモリーと動作可能に接続されたデータキャリアのプロセッサと、該デ
ータキャリアを受容するように構成された装置のメモリーと動作可能に接続された装置の
プロセッサとの間に交信を確立し、
前記データキャリアのメモリーに保存された第１セットの情報に関連するバージョンの識
別子と、前記装置のメモリーに保存された第２セットの情報に関連するバージョンの識別
子とを比較し、
前記第２セットの情報のバージョンの識別子が前記第１セットの情報のバージョンの識別
子よりも古い場合、前記データキャリアのメモリーに保存されている第１セットの情報を
前記装置に送って該装置のメモリーに該第１セットの情報を保存して、該装置のメモリー
に保存されている第２セットの情報を前記データキャリアのメモリーに保存されている第
１セットの情報と置き換え、
前記第１セットの情報のバージョンの識別子が前記第２セットの情報のバージョンの識別
子よりも古い場合、前記装置のメモリーに保存されている第２セットの情報を前記データ
キャリアに送って該データキャリアのメモリーに該第２セットの情報を保存して、該デー
タキャリアのメモリーに保存されている第１セットの情報を前記装置のメモリーに保存さ
れている第２セットの情報と置き換える、
ことを含むことを特徴とするデータキャリアの使用方法。
【請求項５】
請求項４に記載のデータキャリアの使用方法であって、更に、
前記データキャリアのメモリーの第１セットの情報を前記第２セットの情報が置き換えた
後で、前記装置から該データキャリアを取り除き、
前記データキャリアを、該データキャリアを受容するように構成された第２の装置に挿入
し、
前記データキャリアのプロセッサと、該データキャリアを受容するように構成された第２
の装置のメモリーと動作可能に接続された第２の装置のプロセッサとの間の交信を確立し
、
前記データキャリアのメモリーに保存されている第２セットの情報に関連するバージョン
の識別子と、前記装置のメモリーに保存されている第３セットの情報に関連するバージョ
ンの識別子とを比較し、
前記第２セットの情報のバージョンの識別子が前記第３セットの情報のバージョンの識別
子よりも新しい場合、前記データキャリアに保存されている第２セットの情報を前記第２
の装置に送って、該データキャリアのメモリーに保存されている第２セットの情報を、該
第２の装置のメモリーに保存し、
前記第３セットの情報のバージョンの識別子が前記第２セットの情報のバージョンの識別
子よりも新しい場合、前記第２の装置のメモリーに保存されている第３セットの情報を前
記データキャリアに送って、該第３セットの情報を該第２の装置のメモリーに保存して、
該データキャリアのメモリーに保存されている第２セットの情報を、該第２の装置のメモ
リーに保存されている第３セットの情報で置き換える、
ことを含むことを特徴とする請求項２に記載のデータキャリアの使用方法。
【請求項６】
前記バッテリーとしても機能するデータキャリアを受容するように構成された装置がバッ
テリー充電器である
ことを特徴とする請求項４または５に記載のデータキャリアの使用方法。
【請求項７】
前記バッテリーとしても機能するデータキャリアを受容するように構成された装置が該バ
ッテリーとしても機能するデータキャリアからの電力供給を受ける装置である
ことを特徴とする請求項４または５に記載のデータキャリアの使用方法。
【発明の詳細な説明】
【技術分野】
【０００１】
本出願では、２０１１年４月２８日に提出された米国仮出願第６１／４８０，２８６号お
よび２０１１年８月１０日に提出された米国仮出願第６１／５２２，２１０号に基づく優
先権があるものとし、それら全体は参照により本明細書に含まれる。
【０００２】
本出願は、米国出願番号「リチウム電力セルの制御のためのバッテリー管理システム」提
出日；米国出願番号「バッテリー保持用ラッチ機構」提出日；米国出願番号「ＭＯＳＦＦ
ＥＴブーストシステム搭載バッテリー管理システム」提出日；米国出願連続番号「バッテ
リー性能データを追跡および保管するためのシステムおよび方法」提出日；米国出願番号
「バッテリー挿入を自動検知するシステムおよび方法」提出日、に関連し、これらは参照
により本明細書に含まれる。
【０００３】
本発明は、装置に電力を提供するためのバッテリー・パックに関する。
より具体的には、本発明は、バッテリー・パックと、そのバッテリー・パックの充電と放
電を管理するため、そして又、データ、情報およびソフトウェアプログラムを、これらを
受容するよう適切に構成された装置に、受領、移送、およびダウンロードする能力を持つ
バッテリー管理システムに関する。
【背景技術】
【０００４】
心肺蘇生法（ＣＰＲ）は、心拍停止状態にある人々を蘇生させるために使用される広く知
られた価値ある救急処置法である。ＣＰＲでは、身体に血液を送り込むために、心臓およ
び胸腔に圧力を加える反復的胸部圧迫が必要である。マウス・ツー・マウス呼吸法やバッ
グ・マスク装置などによる人工呼吸は、肺に空気を供給するために使用される。救急処置
者が手動で有効に胸部圧迫を行ったときは、身体の血流は通常の血流の約２５％から３０
％である。しかし、経験豊富な救急救命士でも数分以上十分な胸部圧迫を維持することは
できない（Ｈｉｇｈｔｏｗｅｒら「胸部圧迫の経時的な質の低下」２６  Ａｎｎ．Ｅｍｅ
ｒｇ．Ｍｅｄ．３００（１９９５年９月））。従って、ＣＰＲでは患者の生命を維持した
り生き返らせることが頻繁には成功しない。それにも拘わらず、胸部圧迫が十分維持され
るならは、心拍停止の患者はより長い間生命を維持できる。ＣＰＲの努力を延長し（４５
分から９０分）、患者が最終的には冠状動脈のバイパス手術で助かったという報告が時折
報告されている（Ｔｏｖａｒら「心筋血行再建術と神経回復の成功例」２２  Ｔｅｘａｓ
Ｈｅａｒｔ  Ｊ．２７１（１９９５年）参照）。
【０００５】
より良い血流を供給し、居合わせた人による蘇生努力の有効性を増加させるために、ＣＰ
Ｒを実施するための様々な機械装置が提案されてきた。このような装置の一つの形態では
、患者の胸部の周りにベルトを配置し、自動的胸部圧迫装置がベルトを締め胸部圧迫を行
う。我々自身の特許である、Ｍｏｌｌｅｎａｕｅｒ他による「胸部を収縮／圧縮するため
のモータ駆動式ベルトを備えた蘇生装置」米国特許第６，１４２，９６２号（２０００年
１１月７日）；Ｂｙｓｔｒｏｍ他による「蘇生および警告システム」米国特許第６，０９
０，０５６号（２０００年７月１８日）；Ｓｈｅｒｍａｎ他による「モジュール式ＣＰＲ
支援装置」米国特許第６，３９８，７４５号（２００２年６月４日）；および２００１年
５月２５日に提出した我々の出願第０９／８６６，３７７号、２００２年７月１０日に提
出した我々の出願第１０／１９２，７７１号、２０１０年３月１７日に提出した我々の出
願第１２／７２６，２６２号は、患者の胸部をベルトで圧迫する胸部圧迫装置を示す。こ
れらの特許または出願はそれぞれ参照により本明細書に含まれる。
【発明の概要】
【発明が解決しようとする課題】
【０００６】
緊急時には秒単位でのことが重要であるので、いかなるＣＰＲ装置も使い易く、患者に装
置を素早く配備することが容易でなければならない。我々自身の装置は迅速な配備が容易
であり、患者の生存可能性を有意に増大させることもできる。
【０００７】
このような装置の一つの重要な側面は、装置に電力を供給するための小型で強力且つ信頼
できる電力供給機器が必要なことである。ＣＰＲが少なくとも３０分間実施されることは
稀ではない。従って、電力供給機器は、少なくともその間は圧迫装置を駆動するモーター
に十分なエネルギーを送ることができなければならない。更に、胸部圧迫装置の搬送性を
高めるために電力供給機器は比較的軽量でなければならないが、処置時間に亘り圧迫の一
貫性が確保できるよう大幅な電圧または電流の低下なく長時間電力を送らなければならな
い。
【０００８】
自動化されているため、上述の機械式圧迫装置のような装置は、典型的には装置の動作を
制御するコンピュータプロセッサを含み、多くの場合メモリーに保存されたソフトウェア
コマンドに従う。典型的には、器具が使用される特有の状況によって、装置を特定の方法
で制御するため、様々なパラメータがソフトウェアコマンドによって使用される。例えば
、胸部圧迫は、処置を受ける人の体格や年齢によって異なる強さで制御されるかもしれな
い。更に、器具の動作を向上させるため、装置の動作を実行するためのプロセッサをプロ
グラムするのに使用されるソフトウェアをアップグレードすることもできる。更に必要な
のは、バッテリーまたは器具の動作の分析を提供するため、バッテリーまたは器具の使用
中に発生したデータを収集および／または配布することである。
【０００９】
かかる器具のばらつきは、更新されたパラメータおよび／またはソフトウェアを器具に迅
速に配布し、各器具にどのバージョンのパラメータおよび／またはソフトウェアが存在す
るのか追跡し続けることの困難さを増大させる。更に必要なのは、バッテリーまたは器具
の動作の分析を提供するため、バッテリーおよび／または器具の使用中に発生したデータ
を収集および／または配布することである。
【００１０】
加えて、上述のような器具に電力供給する新しい型のバッテリーが開発中である。例えば
、リチウムイオンバッテリーは、より長時間にわたり高電力を提供することができるため
、古い型の再充電式バッテリーにとってかわりつつある。新しい型のバッテリーはそれぞ
れ、バッテリーの動作と充電を監視し制御するため、バッテリーまたは充電器の管理シス
テムと通信するための異なるプログラムコマンドを必要とするかもしれない。新しい型の
バッテリーの充電と放電の管理を支えるよう設計されたソフトウェアの機能の１つは、バ
ッテリーの使用と再充電の履歴を維持するため、バッテリーの充電状態を監視するようバ
ッテリーに関連するプロセッサ上で動作することである。
【００１１】
必要とされていたが、今まで入手不可能だったのは、合理的な時間中、各器具に注意を向
ける必要なしに、各器具が更新されたデータ、動作パラメータ、および／またはソフトウ
ェアを持つことを確実にする方法で、データ、動作パラメータおよび／または更新された
ソフトウェアを広範囲に分布された器具に配信するための低コストで信頼のおけるシステ
ムと方法である。本発明は、これらおよび他のニーズを満たす。
【課題を解決するための手段】
【００１２】
最も一般的な態様では、本発明はバッテリーを含み、このバッテリーは、データ、動作パ
ラメータおよび／または更新されたソフトウェアの伝染式または素早い配布を他のバッテ
リー、またはこのバッテリーの電力供給対象器具に提供するためのキャリアとして使用さ
れるメモリーを持つ。
１つの態様では、このバッテリーは更新されたデータ、動作パラメータおよび／またはソ
フトウェアを、放電されたバッテリーに再充電するのに使用されるバッテリー充電器のメ
モリーから得る。
他の態様では、再充電されたバッテリーが更新されたデータ、動作パラメータおよび／ま
たはソフトウェアを、電力供給のためにこのバッテリーを活用する器具に伝え、そして、
器具に接続されると、更新されたデータ、動作パラメータおよび／またはソフトウェアを
この器具のメモリーおよび／またはプロセッサに配布させる。更にその他の態様において
は、バッテリーは充電器もしくは充電回路のメモリー、または器具もしくは放電回路のメ
モリーをチェックして、このバッテリーと器具双方のデータに関連する日付け、動作パラ
メータおよび／またはソフトウェアを判断し、更新されたデータ、動作パラメータおよび
／またはソフトウェアをこの器具に提供するか、またはこのバッテリーのメモリーを更新
し、および／または更新されたデータ、動作パラメータおよび／またはソフトウェアを他
のバッテリーまたは器具に更に配布するため、この器具からより新しいデータ、動作パラ
メータおよび／またはソフトウェアを取り出す。
【００１３】
更に他の態様においては、本発明は、電子フォーマットで保存された情報を配布するため
のキャリアであって、充電または放電回路と動作可能に接続されている（ｉｎ  ｏｐｅｒ
ａｂｌｅ  ｃｏｍｍｕｎｉｃａｔｉｏｎ）バッテリー受容部に着脱可能に挿入されるよう
構成されたバッテリーを含み、前記バッテリーは、プロセッサと、前記プロセッサと動作
可能に接続されているメモリーを含み、該プロセッサは、ソフトウェアコマンドを使用し
て該充電または放電回路に関連するプロセッサおよび／またはメモリーにクエリを行って
、前記充電または放電回路に関連するメモリーに保存されているデータ、動作パラメータ
および／またはソフトウェアが該バッテリーのメモリーに保存されているデータ、動作パ
ラメータおよび／またはソフトウェアコマンドより古い日付またはバージョン番号を持つ
かどうか判断し、もしそうであれば、該データ、動作パラメータおよび／またはソフトウ
ェアコマンドを該バッテリーのメモリーから該充電または放電回路に関連するメモリーに
転送するよう構成され、該バッテリーのプロセッサは、また、該充電または放電回路に関
連するメモリーに保存されているデータ、動作パラメータおよび／またはソフトウェアコ
マンドが該バッテリーのメモリーに保存されているデータ、動作パラメータおよび／また
はソフトウェアコマンドより新しい日付を有する場合には、該データ、動作パラメータお
よび／またはソフトウェアを該充電または放電回路に関連するメモリーから該バッテリー
のメモリーに転送するよう構成されていることを特徴とするキャリアを含む。
【００１４】
更に他の態様では、本発明は、バッテリーのようなデータキャリアであって、充電器のメ
モリー、充電回路のメモリー、該バッテリーの電力供給対象機器のメモリー、または該バ
ッテリーの電力供給対象の放電回路のメモリーにクエリを行って、前記バッテリーに動作
可能に接続されたメモリーおよび前記機器に動作可能に接続された二番目のメモリーに保
存されたデータ、動作パラメータおよび／またはソフトウェアの相関的な日付またはバー
ジョンを判断するように構成され、更に、該機器のメモリーに、更新されたデータ、動作
パラメータおよび／またはソフトウェアをアップロードするか、または、該バッテリーの
メモリーを更新し、および／または他のバッテリーまたは機器に配布するように、より新
しい日付のデータ、動作パラメータおよび／またはソフトウェアを、該機器のメモリーか
らダウンロードするようプログラムされていることを特徴とするプロセッサを含むことを
特徴とするデータキャリアを含む。
【００１５】
更に他の態様では、前記プロセッサは、前記充電器のメモリーまたは前記充電回路のメモ
リーからより新しい日付のデータ、動作パラメータおよび／またはソフトウェアだけをダ
ウンロードして前記バッテリーのメモリーを更新するように構成されている。更に他の態
様では、該プロセッサは、前記器具、放電回路、充電器または充電回路のメモリーに、更
新されたデータ、動作パラメータおよび／またはソフトウェアのみアップロードするよう
構成されている。本発明の他の特徴および利点は、以下の詳細な説明を本発明の特徴を例
示する添付図面と合わせて捉えれば、明らかであろう。
【図面の簡単な説明】
【００１６】
【図１】図１は、機械胸部圧迫装置を使用することにより患者に胸部圧迫を実施する方法を示す。
【図２】図２は、装置の底面側および前面側を示した、図１の機械胸部圧迫装置の斜視図である。
【図３】図３は、装置の底面側および後ろ側のカバープレートを取り除いた、図１の機械胸部圧迫装置の斜視図である。
【図４Ａ】図４Ａは、バッテリー・パックの前面側に置かれたバッテリー・ラッチを示す本発明に従うバッテリー・パックの斜視図である。
【図４Ｂ】図４Ｂは、バッテリー・パックの後ろ側に置かれたコネクタ、表示器、ボタンを示す図４Ａのバッテリー・パックの斜視図である。
【図５】図５は、本発明のバッテリー・パックの一つの実施態様の様々な要素を示す展開斜視図である。
【図６】図６は図６−ａ，図６−ｂ，図６−ｃ，図６−ｄを連続した総合概略図である。
【図６−ａ】図６−ａは、本発明の原則に従うバッテリー管理システムの実施態様の概略図（一部）であって、図６の中の図６−ａに対応する。
【図６−ｂ】図６−ｂは、本発明の原則に従うバッテリー管理システムの実施態様の概略図（一部）であって、図６の中の図６−ｂに対応する。
【図６−ｃ】図６−ｃは、本発明の原則に従うバッテリー管理システムの実施態様の概略図（一部）であって、図６の中の図６−ｃに対応する。
【図６−ｄ】図６−ｄは、本発明の原則に従うバッテリー管理システムの実施態様の概略図（一部）であって、図６の中の図６−ｄに対応する。
【図７】図７は、本発明のバッテリーの実施態様をキャリアとして使用したデータ、情報および／またはソフトウェアプログラムの伝染式配布の概略図である。
【発明を実施するための形態】
【００１７】
本発明の様々な実施態様は、携帯機器、特に医療装置に電力を供給するための再充電式バ
ッテリーの供給に関する。本発明の実施態様は、予測可能な時間に亘りバッテリーが多く
の電流を供給する必要がある時に特に利点がある。更に、本発明の実施態様は、バッテリ
ーの動作に関するあらゆる側面を制御し、バッテリーの寿命中に起きるバッテリーに関係
する事象を保存するメモリーも含むバッテリー管理システムを含む。更に、バッテリー管
理システムの実施態様は、種々のバッテリーの化学的特性を使用するバッテリーに適応す
る機能も含み、通信ポートを通して更新することも可能である。
【００１８】
本発明の様々な実施態様は機械式圧迫装置に関連して記述されるが、当業者は直ちに、こ
れらの実施態様がこのような装置に電力を供給することに限られていないことを理解する
であろう。事実、このような使用は単なる例示に過ぎず、本発明の様々な実施態様に従う
バッテリーは、装置の設計上の要件がこのようなバッテリーの能力によって充たされる場
合に、あらゆる装置、特に医療装置に電力を供給するために使用可能である。
【００１９】
本発明の様々な実施態様に従うバッテリーが機械式圧迫装置と共に使用されるとき、バッ
テリーは、現場だけでなく現場から医療センターに患者を搬送する間にも患者を処置する
ために、十分長い時間機械式圧迫装置に電力を供給できなければならない。しかし、患者
の体格および体重が処置中のバッテリーの電流ドレイン量を決定する要因であることを経
験は示している。従って、平均よりも大きい患者の処置にはバッテリーからの電流流出量
が多くなる。
【００２０】
例えば、幾つかの調査では、胸深、胸部横径、および胸囲が、機械式圧迫装置に電力を供
給するバッテリーの電流ドレイン量に影響を及ぼす要因であることが示されている。他の
調査では、平均的成人男性の平均胸深は９．４インチ、胸部横径は１２．２インチ、平均
胸囲は３９．７インチであることが観察されている。Ｙｏｕｎｇ，ＪＷ，ＲＦ  Ｃｈａｎ
ｄｌｅｒ，ＣＣ  Ｓｎｏｗ，ＫＭ  Ｒｏｂｉｎｅｔｔｅ，ＧＦ  Ｚｅｈｎｅｒ，ＭＳ  Ｌ
ｏｆｂｅｒｇ「成人女性の身体測定値および体重分布の特徴」ＦＡＡ民間航空医学研究機
関、オクラホマ州オクラホマ・シティ、報告番号ＦＡＡ−ＡＭ−８３−１６号，１９８３
年；人体モデルの身体測定値および体重分布：第１巻：軍隊の男性飛行士、報告番号ＵＳ
ＡＦＳＡＭ−ＴＲ−８８−６、１９８８年３月；  Ｈａｓｌｅｇｒａｖｅ，ＣＭ「集団の
身体測定異常値の特性化」Ｅｒｇｏｎｏｍｉｃｓ，２９：２，２８１−３０１ページ，１
９８６年；Ｄｉｆｆｒｉｅｎｔ，Ｎ，ＡＲ  Ｔｉｌｌｅｙ，ＪＣ  Ｂａｒｄａｇｙ，ヒト
の体格１／２／３，ＭＩＴ出版，  マサチューセッチュ州ケンブリッジ１９７４年；およ
びＰｅｏｐｌｅＳｉｚｅ  Ｐｒｏ  ソフトウェア、Ｏｐｅｎ  Ｅｒｇｏｎｏｍｉｃｓ社．
，ＬＥ１１５ＱＹ、レスターシャー州、ラフバラ、ベイクウェル・ロード、英国を参照。
これらは参照によりその全体が本明細書に含まれる。
平均的な体格の患者では少なくとも３０分間、平均より体格の大きい患者では少なくとも
２０分間機械式圧迫装置の動作を維持できるバッテリーに利点がある。
【００２１】
これから図の詳細な説明に入るが、図の中の類似の参照番号は、幾つかの図にある類似ま
たは対応する要素を示し、図１には患者１に適合させた胸部圧迫ベルトが示されている。
胸部圧迫装置２は、ベルト右側部３Ｒおよびベルト左側部３Ｌを有するベルト３による圧
迫に適用する。胸部圧迫装置２はベルト駆動台４と（ベルトを含む）圧迫ベルト・カート
リッジ５を含む。ベルト駆動台は、患者を配置するハウジング６、ベルトを締める手段、
プロセッサ、およびハウジング上に置かれたユーザー・インターフェイスを含む。ベルト
は、引き出し用ストラップ１８および１９と、ベルトの端の広い荷重分散部１６および１
７を含む。ベルトを締める手段は、使用中にベルトが周囲に巻き取られ締まる駆動スプー
ルに取り付けられたモーターを含む。ここで示すように胸部圧迫装置の設計により、軽量
の電子機械胸部圧迫装置が可能となっている。全体を組み立てた胸部圧迫装置は２９ポン
ドしか重量がないので、遠距離でも手で持ち運べる。装置自体の重量は約２２．０から２
３．０ポンドで、バッテリーは、本発明の少なくとも一つの実施態様では、２から５．０
ポンドの重量で、好ましくは３ポンドである。ベルト・カートリッジは約０．８ポンドの
重量で、患者を安定させるためのストラップの重量は約１．６ポンドである。
【００２２】
図２は、上方向から見た胸部圧迫装置の後ろ側２３を示す。図２の斜視図では、平均的な
体格の患者の臀部と患者の脚部の裏側が、下位バンパー４０を超えて伸びる。装置は、ハ
ウジングの両側方向に向かう強固なチャネル・ビーム４１の周りに構築される。チャネル
・ビームは圧迫中に生じる力に対して装置を支持する。チャネル・ビームは、ベルト・カ
ートリッジを取り付ける構造としても役立つ。
【００２３】
チャネル・ビーム４１は、装置の横幅方向に伸びるチャネルを形成する。圧迫中に、ベル
トはチャネルの中に置かれ、チャネルに沿って動く。ベルトは、チャネルに広がる駆動ス
プール４２に取り付けられる。
【００２４】
図３は、胸部圧迫装置２の内部要素を示す。モーター７９はクラッチ８０およびギアボッ
クス８１を通して駆動スプール４２にトルクを供給するよう動作可能である。ブレーキ８
２はモーターの上側に取り付けられており、駆動スプールのモーションにブレーキをかけ
るよう動作可能である。ブレーキ・ハブはモーターの回転子軸に直接接続する。
【００２５】
モーター７９およびブレーキ８２は、すべて前方カバー・プレート６０の内側に載せられ
るプロセッサ・ユニット８３、モーター制御器８４、電力分配制御器８４によって制御さ
れる。プロセッサ・ユニットは、コンピュータ・プロセッサ、非揮発性メモリー装置、お
よび表示器を含む。
【００２６】
プロセッサ・ユニットには、電力制御器およびモーター制御器を制御するために使用され
るソフトウェアが備えられる。プロセッサ・ユニット、電力制御器、モーター制御器は共
に、モーターの動作を精確に制御することができる制御システムを構成する。従って、圧
迫のタイミングと力は様々な体格の患者用に自動的に精確に制御される。
【００２７】
図２および３は、患者の頭部に近いバッテリー格納部１２１の位置も示す。バッテリー・
パックおよびバッテリー格納部の位置および設計は、迅速なバッテリー交換を可能にする
。バッテリー・パックが完全且つ正確に収納部に挿入されていなければ、格納部の裏側に
あるばねはバッテリー・パックを押し出す。バッテリー・パックの一つの端にあるラッチ
は、バッテリー・パックがバッテリー格納部に挿入される時にバッテリー格納部の内部に
バッテリー・パックを保持するように、バッテリー格納部１２１の中の受容部と係合する
。凹部１２０は、バッテリー格納部１２１の内側のばねの位置を示す。バッテリー格納部
の端にあるプラスチック製グリル１２２は凹部を補強する。
【００２８】
図４Ａおよび４Ｂは、バッテリー・パックの前面側２０５および後側２１０それぞれを示
すバッテリー・パック２００の斜視図である。バッテリー・パックの前面側２０５は外方
向に面し、バッテリー・パックがバッテリー格納部１２１に挿入される時にユーザーから
見える（図３）。図４Ａに示すように、前面側２０５は、バッテリー格納部内にバッテリ
ー・パック２００を保持するように、バッテリー格納部１２１の内部の受容部と係合する
ラッチ２１５を含む。図４Ａは、バッテリー・パックの前面側の端の最上部に置かれた一
対の隆起タブ２１７も示す。これらのタブはラッチと共に作動して、バッテリー挿入の間
にバッテリーの最上部がずり上がるのを防いでラッチをバッテリー・ラッチ受容部または
バッテリー格納部の縁に適切に係合させることにより、バッテリーが確実にバッテリー格
納部に適切に収まるようにする。
【００２９】
図４Ｂに見られるようなバッテリー・パックの裏側２１０は、機械式圧迫装置の制御器ま
たはプロセッサとバッテリー・パック２００の間の電気通信を可能にするために、バッテ
リー格納部１２１内のコネクタに接続する接続２２０を含む。このコネクタは、機械式圧
迫装置に電力を供給するためにバッテリー・パックからの電流の流れを可能にするだけで
なく、バッテリー・パックと機械式圧迫装置の動作を制御するプロセッサまたはコンピュ
ータの間の、バッテリー充電状態、放電率、放電までの残り時間などのデータ、プログラ
ミング・コマンド、および他の情報の流れも提供する。同様に、バッテリー・パックのセ
ルを充電するために、ならびに充電器とバッテリー・パックの間のデータ、ソフトウェア
・プログラムまたはコマンド、および／または他の情報の流れを可能にするために、コネ
クタ２２０はバッテリー充電器の中のコネクタに接続するように構成できる。また、バッ
テリー・パックとネットワークにも接続される他のコンピュータ、サーバー、プロセッサ
、または装置との間の情報の流れを可能にするような通信ネットワークにバッテリー・パ
ックを接続するのにも、コネクタ２２０を使用することができることは予期される。ネッ
トワークは、例えばイーサネット（登録商標）などの有線ネットワークである場合もある
し、無線ネットワークである場合もあることは理解されるであろう。ネットワークはロー
カル・ネットワークである場合もあるし、ＷＬＡＮまたはインターネットなどの広域ネッ
トワークである場合もある。
【００３０】
例えば一つ以上の発光ダイオード（ＬＥＤ）または同様の装置のような状態インジケータ
２２５も、バッテリー・パック２００の裏側の端２１０上に置かれ、例えばバッテリー・
パックの充電／放電状態、バッテリー・パックの動作に影響するあらゆる不具合、または
バッテリーの使用者にとって有益となり得る他の情報を視覚表示する。押しボタン２３０
も含まれる；ボタン２３０は、例えばバッテリー・パックのリセットを開始するために使
用することもできる。別の態様として、ボタン２３０は診断テストを開始するのに使用で
き、その結果は状態インジケータ２２５によって表示される。他の実施態様では、押しボ
タン２３０は、例えばバッテリーの残存容量の決定や状態インジケータ２２５の使用を通
じた不具合コードの表示などを含むが、それらだけには限定されない、バッテリー・パッ
ク内のプロセッサの他の機能を開始させることもできる。
【００３１】
図５はバッテリー・パック２００の展開斜視図である。この展開図におけるバッテリー・
パック２００は図４Ａおよび４Ｂの図を逆にしたものである。バッテリー・パックは底部
筐体２３４および最上部筐体２３２を有する。バッテリー・ラッチ２３６、レバー・ベー
ス２３８、およびレバー・ラッチ２４０を有するバッテリー・ラッチ機構は、バッテリー
格納部にバッテリー・パックを挿入する時に外側に向くバッテリー・パックの側面に載せ
られ、底部および最上部筐体によってその場所に保持される。レバー・ラッチ２４０は、
バッテリー・ラッチ２３６の外面に形成される溝またはスロット２４３に挿入されるウィ
ング部２４１を有し、レバー・ベース２３８は、筐体の中のレバー・ラッチ２４０を枢動
可能に保持するために底部筐体上に載せられる。圧迫ばね２５４は、バッテリー・ラッチ
２３６の底部の端と最上部筐体２３２の間に置かれる。突出部２５５はバッテリー・ラッ
チ２３６の最上部の端に置かれ、底部筐体２３４の厚さ方向に伸びるスロット２５１を通
して突出するように構成される。この方式により、バッテリー格納部にバッテリーを挿入
しバッテリー格納部１２１から取り除くようにバッテリー・パックを取り外すために、バ
ッテリー・ラッチ２３６はユーザーによって、機械式圧迫装置の中に位置するラッチ・レ
シーバーに突出部２５５を係合し外すために、動作させることもできる。
【００３２】
バッテリー・パックの裏側の端２１０には、コネクタ２２０、インジケータ２２５、およ
びボタン２３０が載せられたバッテリー入力ボード２４２が置かれる（図４Ｂ）。入力ボ
ード２４２は一つ以上のねじ２５０を用いて底部筐体２３２に載せられる。入力ボードは
、一つ以上のねじ２５６を用いて最上部筐体２５２に留めることもできる。幾つかの実施
態様では、バッテリー・パックの内側への液体の流入に抵抗するために、耐水性ガスケッ
ト２６２を使用できる。更に、一つ以上のインジケータ２２５によって提示される様々な
表示に関してユーザーに情報を提供するためにラベル２６０を使用することもできる。
【００３３】
バッテリーの様々な動作（以下により詳細に記述する）を管理するためにプロセッサ、メ
モリー、電気回路を載せたバッテリー管理ボード２４４は、ねじまたは他の留め具２５８
を用いてバッテリー・セル構体２４６に載せる。バッテリー・セル構体２４６は一つ以上
のバッテリー・セル２４８を含む。バッテリー・セル２４８は、例えばニッケル水素、水
素化リチウム、リチウムイオンなどの様々なバッテリー化学構造を利用するセルである場
合もある。バッテリー管理ボード２４４およびバッテリー・セル構体２４６は、構体の他
の部品との不意の接触から個々のバッテリー・セル２４８の端子を保護して、それにより
バッテリー・セルの短絡回路に対する遮蔽を備えるように、バッテリー・セル構体２４６
の左側および右側に載せられる一対のスプラッター・シールド２６６も含められる。
【００３４】
バッテリー・パック２００は、バッテリー・パックの充電または放電中にバッテリー・セ
ル２４８によって発生する燃焼または爆発する可能性のあるガスの蓄積を防ぐために、バ
ッテリー・パックの通気を可能にするための最上部筐体の中に置かれることが示されてい
る少なくとも一つの通気口２６４も含む。最上部筐体の中に置かれることが示されている
が、当業者は通気口がバッテリー・パックのいずれの壁面または側面に通して設置される
場合もあることを理解するであろう。通気口２６４は、バッテリー・パックの壁面または
側面を通して延びる単純な穴でよい。別の態様として、バッテリー・パックの内側への微
粒子または液体または湿気の流入を防ぐために、通気口２６４は、スクリーンまたは疎水
性膜などのフィルタリング手段２６５を含む場合もある。このような通気口の更なる利点
は、バッテリー・パックをより高いまたは低い標高に搬送する時に起こるような、バッテ
リー・パックの内側と外側の間の圧力の均等化を一つ以上の通気口が可能にすることであ
る。
【００３５】
上記の機械式圧迫装置は、確実動作する電力源を必要とする。緊急時に患者を蘇生させる
ために、３０分以上装置の使用が必要なことは稀ではない。機械式圧迫装置のモーターの
トルクおよび電力に対する要求は、圧迫時に電流のピークが７０アンペアまで必要なこと
である。バッテリーにより圧迫を制御するモーターに十分な電流を送ることができないと
きは、電圧が落ち、モーターは患者の胸部の完全な圧迫を確保するために十分なトルクを
生成できないかもしれない。
【００３６】
本発明の発明者らは、バッテリーから常に電力流出する時にバッテリーの長時間に渡る信
頼できる動作を確保するためには、極めて低い合計内部抵抗を有することが鍵であること
を認識している。高電力を要する装置において有用性が示されてきたこのような一つのバ
ッテリーの化学的性質は、Ａ１２３  システムズ社が提供するモデルＡＮＲ２６６５０Ｍ
１−ＡまたはＡＮＲ２６６５０Ｍ１−Ｂリチウムイオン・セルなどの、リチウムイオンの
化学的特性を用いるバッテリーである。
【００３７】
図６は、本発明に従うバッテリー・パック３００の一つの実施態様を示す概略図である。
バッテリー・パック３００は、上記のモデルＡＮＲ２６６５０Ｍ１−ＡまたはＡＮＲ２６
６５０Ｍ１−Ｂなどの、１１個のリチウムイオン化学構造セルを含む。それぞれのセルは
３．３ボルトを備え、１１個のセルは合計３６．３ボルトを備えるように直列で接続され
る。このようなセルを用いると、本発明の原則に従うバッテリー・パックの一つの実施態
様は、約３ポンドの重量で製造できる。このようなバッテリーは１５５０から２０００ワ
ットを送ることが観察されており、ピーク電力１８００ワットを送ることが好ましい。こ
れは、望ましい重量と電力の比を備える。更にこのような実施形態では、１００ワット／
時を少し下回るエネルギーを送ることが可能であることも判明している。この例示的な実
施態様では１１個のバッテリー・セルを使用するが、電力供給対象装置の必要性に応じて
より多いまたは少ない数のセルが使用できる。
【００３８】
圧迫装置のモーターを動作させるために必要な電流量を供給するために、本発明者らは、
バッテリー・パックの内部抵抗を最小限にするのが重要であることを発見した。従って使
用するリチウムイオン（Ｌｉ−イオン）セルは、好ましくは１５ミリオーム未満、更に好
ましくはセル当たり１２．５ミリオーム未満の低い内部ＤＣ抵抗を有するべきである。
【００３９】
Ｌｉ−イオン・バッテリーは、長時間に亘り機械式圧迫装置を動作するのに必要な電圧お
よび電流を供給することができるが、バッテリーがその望ましい寿命の間に亘り確実に機
能し続けることができるように、バッテリーの放電段階および再充電の両方において注意
しなければならない。Ｌｉ−イオンセルは過剰充電または過剰放電すべきでないことは良
く知られている。従って本発明の様々な実施態様は、セルの放電および再充電のサイクル
を両方監視および制御する能力を含む。これらの実施態様については以下により詳細に論
じる。
【００４０】
上記に述べたように、１１個のＬｉ−イオン・セル３１０は、主要電力バス３２０により
直列に接続される。バス３２０はＤＣ回路では典型的なように、陽極側と陰極側すなわち
接地側の両方を有する。バス３２０は、インターフェース３３０を通して電気機器（この
例では機械式圧迫装置）にバッテリー・セルによって供給される直流を送る。図６に示す
ように、インターフェース３３０は７個の接続ピンを有するピン・コネクタである。別の
態様として、ソケットを使用することもでき、または７個よりも多いまたは少ない数のピ
ンまたはソケットを用いたピンとソケットの組み合わせを使用することもできる。
【００４１】
バス３２０の陽極側はインターフェース３３０のピン７に接続される。同様に、バス３２
０の陰極側はインターフェース３３０のピン６に接続される。インターフェースのピン１
〜５は、バッテリー・パックと電力供給対象装置の間の情報と制御信号の交換を可能にす
るように、バッテリー・パックの監視および制御に関わる様々な信号を通信するため、並
びに電力供給対象装置に通信するために使用される。これらの特徴を組み入れた本発明の
様々な例示的実施態様は、以下により詳細に論じる。
【００４２】
再び図６に戻ると、バス３２０の陽極側は過剰電流状態から回路を保護するためのヒュー
ズ３４２を含む。ヒューズ３４２は、例えば、３０アンペアのヒューズとなることもある
。そのような場合には、３０アンペアを超えるヒューズ３４２を通る電流の継続的な流れ
によりヒューズは開き、バス３２０によって生成された回路を切り、バッテリー・セルか
らの電流の流れを停止させる。図示はしていないが、ヒューズを監視し、ヒューズが飛ん
だ場合にはヒューズが飛んだという信号をパック・コントローラに送る、飛んだヒューズ
の探知器もある。その後パック・コントローラは、バッテリーが使用に適さないことを示
す信号を送る場合もある。このような信号は例えば、ＬＥＤの色の変化または他の状態表
示の起動または解除とすることもできる。別の態様として、パック制御がバッテリーによ
って電力が供給される機器へ信号を送り、その機器がその後ユーザーに対して、バッテリ
ーがユーザーが使用するのに準備できていないことを示す表示を送ることもできる。
【００４３】
主バス３２０の陽極側は幾つかのｎ−チャンネル磁界効果トランジスタ（ｎ−ＦＥＴ）３
４０、３５０、３６０も含む。これらのｎ−ＦＥＴは回路の切り替えおよび制御を行う。
ｎ−ＦＥＴが使用されるのはバッテリーの合計内部抵抗を最小限にするという設計上の必
要性に適合する極めて低い抵抗スイッチを備えるためである。ｎ−ＦＥＴのもう一つの独
特な能力は、損傷を与えることなく、余剰な熱量を生成することなく、高い電流負荷を実
施できることである。本発明の様々な実施態様で使用するのに適していると判明している
ｎ−ＦＥＴの一つの例は、Ｄｉｇｉ−Ｋｅｙ社が提供するモデルＩＲＬＳ３０３６である
。
【００４４】
典型的な設計では、ｐ−ＦＥＴ素子がスイッチとして使用され、主バスの高い側面に置か
れる。しかし、ｐ−ＦＥＴはｎ−ＦＥＴ素子の２倍以上のオン抵抗を有する。ｎ−ＦＥＴ
素子と同じ電流を扱うには、幾つかのｐ−ＦＥＴを並列に繋ぐ必要がある。更に幾つかの
ｐ−ＦＥＴを使用するには、ｐ−ＦＥＴがオンの間に生成される熱を発散させるためのヒ
ートシンクの使用も必要である。バッテリー・パック内のスペースは限られているので、
これは不都合である。
【００４５】
同様に、ｎ−ＦＥＴ素子は通常は、バスの中の電流のオン／オフを切り替えるために、主
バスのローサイドで使用される。しかしこの状況におけるｎ−ＦＥＴの使用により、バッ
テリーの接地が破壊され、その結果、回路の中にノイズを発生させバッテリー管理システ
ムの回路の様々な要素間の通信が妨害されることもある。従って、本発明ではｎ−ＦＥＴ
スイッチをバスの高い側面に置き、これによりｐ−ＦＥＴが使用される時に起こりうる過
剰な熱の発生なしに、バスの効率良い切り替えが可能となる。バスの高い側面にｎ−ＦＥ
Ｔを置くことは、回路の接地を壊す問題も取り除く。
【００４６】
幾つかの実施態様では、抵抗器３７０および３８０などの一つ以上の抵抗器を、主バス回
路の陰極側すなわち低い側に挿入することもできる。これらの抵抗器は、回路を通じて流
れる電流の様々な側面を監視するために、主バスをタップする能力を備える。例えば、一
つの実施態様では、抵抗器３７０はセル均衡および１次保護回路の入力データ線を横切っ
て接続されるが、これについては以下により詳細に論じる。抵抗器３７０の典型的な値は
例えば２．５ミリオームである。
【００４７】
もう一つの実施態様では、抵抗器３８０は「燃料測定器」としても知られる充電状態モニ
ターを横切って接続することもできる。この実施形態では、抵抗器３８０の値は例えば５
ミリオームとなる場合もある。
【００４８】
セル３１０のそれぞれは、充電および放電率それぞれを制御するために、充電中および放
電中の両方において個々に監視される。一つの例示的な実施態様では、図６に示すように
、別個のセル・タップ線３９０がそれぞれのセルおよびセル監視および均衡回路４００に
接続される。
【００４９】
１次保護
充電中にそれぞれのセルの電圧は、セルの過剰充電を防ぐために独立して監視される。一
つの例示的な実施態様では、例えばＯ２マイクロ社が提供するＯＺ８９０などのバッテリ
ー・パック保護および監視集積回路（ＩＣ）４１０である場合もあるマイクロチップ上の
監視システムが、様々なセルの充電を制御するために使用される。このような配置におい
ては、セル監視線３９０は、ＩＣ４１０の代表的なピン入力にポジティブな信号を送る。
例えば、セル１はＩＣ４１０の入力線ＢＣ１を用いて監視され、同様にＩＣ４１０の入力
線ＢＣ１１を用いて監視されるセル１１まで続く。
【００５０】
ＩＣ４１０の制御回路がセルの中の不均衡を探知すると、ＩＣ４１０は適当な外部ブリー
ド制御線ＣＢ１〜ＣＢ１１上に信号を送る。図６に示すように、適当な外部ブリード制御
線上の信号がｎ−ＦＥＴ４２０のゲートに適用される時に、ｎ−ＦＥＴ４２０のソースと
ドレイン間およびそれに続き抵抗器４３０の中を電流が通ることができ、それによりセル
をバイパスしセルの充電を停止させる結果となる。図６からわかるように、それぞれのセ
ルを監視しそれぞれ個々のセルの過剰充電を防ぐために、それぞれのセルはそれ自体の専
用の抵抗器とＩＣ４１０と電気的に接続されたｎ−ＦＥＴの組み合わせを有する。
【００５１】
セル均衡および１次保護ＩＣ４１０は、幾つかの実施態様ではバッテリー・セル・パック
の合計電圧を監視するために使用することも出来る。例えば、すべてのセルがその最大電
圧を達成した時には、ｎ−ＦＥＴ３５０のソースとドレインの間のチャネルを開き、それ
により主バス回路３２０を開くために、ＩＣ  ４１０はｎ−ＦＥＴ３５０のゲートに低信
号を送ることができる。これにより、セルを通る電流の充電は終了し、それにより充電プ
ロセスが停止する。
【００５２】
同様に、ＩＣ４１０はバッテリーの放電中にセル両端の電圧を監視する。セル両端の電圧
が例えば２１ボルトなどの閾値レベル未満に低下する時、ＩＣ４１０は信号線４５０の信
号を低くし、それによりｎ−ＦＥＴ３６０が閉じ、主バス回路が遮断される。こうするこ
とで、セルの充電が過剰に取り除かれてバッテリーの寿命が短縮されることによって起こ
り得るバッテリー・セルへの損傷を防ぐ。
【００５３】
ＩＣ４１０は加熱を防ぐためにバッテリー・パックおよび／または個々のバッテリー・セ
ルの温度を監視するように設計された温度測定能力を含み制御することも出来る。この実
施態様では、信号線４７０を通してＩＣ４１０に温度信号を送るために一つ以上のサーミ
スタ４６０を使用する。ＩＣ４１０がバッテリーの温度が高すぎるか低すぎると判断する
場合は、ＩＣ４１０はＮ−ＦＥＴ３５０および３６０の何れかまたは両方を低くし、主バ
ス３２０を開きバッテリー・パックを隔離できる。単一の信号線４７０のみが明確性を期
するために示されているが、ＩＣ４１０と通信する温度監視回路で使用されるすべてのサ
ーミスタの機能を監視するために、回線４７０は適当数の導体を含む。
【００５４】
ＩＣ４１０は更に、不具合信号を信号線４８０上に送ることにより不具合状態の視覚表示
を行うことも出来るが、この場合、この不具合信号波ＬＥＤ４９０を発光させるために使
用することも出来る。１次保護回路によって感知される不具合状態のこの視覚信号は、バ
ッテリー・パックがＩＣ４１０によって機能しない状態になったこと、およびバッテリー
・パックの修理または維持管理が必要であるかも知れないことを示す。
【００５５】
２次保護
本発明の幾つかの実施態様は、壊滅的な不具合に対する２次的保護または過剰電圧保護を
含むこともある。このような２次的保護は、バッテリー・パックの電圧および／または主
バスを通る電流の流れを監視し、特定の電流または電圧の閾値を超える時に処理を行うよ
うに設計された様々な回路によって備えられる。一つの実施態様では、このような保護は
、例えばＯ２マイクロ社が提供するＯＺ８８００などの集積回路５００によって提供され
ることもある。バッテリー・パックに使用されるセルの数によって複数のＩＣ５００が必
要になるかもしれないことを当業者は理解するであろう。例えば、ＯＺ８８００の２次的
レベルバッテリー保護集積回路は３個から７個の個々のセルを監視できる。従って、１１
個のセルを使用する場合には、２個のＯＺ８８００が必要となる。
【００５６】
ＩＣ５００は監視線３１２を通してそれぞれのセルの電圧を監視する。幾つかの実施態様
では、一時的な電圧過剰状態が存在するように時間遅延を利用できる。電圧が許容可能な
範囲まで再び低下しなかったので時間閾値を超える場合は、ＩＣ５００はｎ−ＦＥＴ３４
０を切るためにｎ−ＦＥＴ３４０に不具合回線５１０を通して低信号を送る。それぞれの
セルは同様の回路によって監視される。
【００５７】
それぞれのｎ−ＦＥＴのゲートに正の電圧が適用されない場合には上記のｎ−ＦＥＴは通
常はオフ状態にあることは図６から明らかであろう。従って、ゲートのｎ−ＦＥＴの閾値
未満のレベルまで電圧を低下させるいかなる不具合も、ｎ−ＦＥＴを開かせ、セルおよび
バッテリー管理回路に更なる保護を与える。
【００５８】
燃料測定
本発明のもう一つの実施態様ではバッテリー・パック中に残存する有用な充電量を監視す
る「燃料測定」機能を含む。このような燃料測定機能性は、使用時間、放電率、およびバ
ッテリーの温度に基づき使用および待機状態のための残余バッテリー容量を計算するなど
、様々なタスクを実行するよう設計された集積回路を用いて具備される。このような回路
はまた、ほぼ完全な充電状態からほぼ完全な放電状態までの放電サイクルのプロセスにお
ける真のバッテリー容量を決定することも出来る。
【００５９】
図６はこのような燃料測定回路６００の一例を示す。バッテリー・パックの監視は、テキ
サス・インストラメンツ社が提供するｂｑ２０６０Ａのような集積回路６１０を用いて達
成される。ＩＣ６１０は外部ＥＥＰＲＯＭ６２０と連結して作動する。ＥＥＰＲＯＭ６２
０は、バッテリー・セルで使用した化学構造、バッテリーの自己放電率、様々な率補償因
子、測定値較正、およびバッテリーの設計電圧および容量などのＩＣ６１０の構成情報を
保存する。これらの設定はすべて様々なバッテリーの種類にシステムが使用できるように
変更可能である。更にＩＣ６１０は裏側バス回路６３０を通して中央プロセッサおよびメ
モリーと通信できる。この方式では、システム内に含まれる他の回路によって探知および
同定されるか、またはユーザーによって手作業で同定される異なる種類のバッテリーを収
容するために、中央プロセッサからの制御信号を用いて、ＩＣ６１０およびＥＥＰＲＯＭ
６２０を構成することも出来る。代替的な実施態様では、この機能を実施するのに必要な
アルゴリズムを実行するためのパック・コントローラおよび燃料測定の動作を制御するソ
フトウェアに埋め込まれた適切な制御コマンドを用いて、低電流引き込みの場合に燃料測
定の報告正確性を高めるために、ＩＣ６１０はパック・コントローラと共に作動する。
【００６０】
一般的に充電入力量またはバッテリー・セルから取り除かれた量を監視することにより完
全な充電バッテリー容量を、またいかなる時点における残余容量を求めるために、ＩＣ６
１０によって実行される燃料測定機能はＩＣ８００と連結する。更に、ＩＣ６１０は抵抗
器３８０を通して探知されるバッテリーの電圧、バッテリーの温度および電流を測定する
。ＩＣ６１０はまた、幾つかの実施態様では、バッテリーの自己放電率を推定し、バッテ
リーの低電圧閾値を監視することも出来る。記述されるように、（直列に接続されたセル
の）第１のセル３１０の負極とバッテリー・パックの負極の間に位置する抵抗器３８０を
横切る電圧を監視することにより、ＩＣ６１０はバッテリーの充電および放電量を測定す
る。利用可能なバッテリー充電は、この測定された電圧と測定値を環境および動作上の条
件について補正することから決定される。
【００６１】
ＩＣ６１０は、上記の推定および補正を実行するためにバッテリー・パックの温度を測定
することも出来る。一つの実施態様では、バッテリー・パックの一つ以上のセルの温度が
測定できるような方式で、バッテリー・パックの一つ以上のセルの近くにサーミスタ６４
０を載せる。一つ以上のセルの温度が測定される間にサーミスタ６４０にバイアス電圧ソ
ースを接続するために、信号線６６０を通して適切な信号を送ることにより、ＩＣ６１０
はｎ−ＦＥＴ６５０のゲートを高くする。測定が完了すると、ＩＣ６１０はｎ−ＦＥＴ６
５０のゲートを低くして、ｎ−ＦＥＴを開くことによりサーミスタ６４０をバイアス・ソ
ースから切り離す。
【００６２】
ＩＣ６１０は、バッテリーに残る報告された充電量が正確になるように、バッテリーを充
電する毎にリセット可能である。以下により詳細に記述するバッテリー・パック監視回路
またはパック・コントローラ８００は、ｎ−ＦＥＴ６８０のゲートを高くするためにリセ
ット線６７０を通して信号を送る。これにより電流はｎ−ＦＥＴ  ６８０を通じて流れ、
ＩＣ６１０のバッテリー容量カウンターをリセットするためにリセット信号がＩＣ６１０
に送られる。
【００６３】
もう一つの実施態様では、ＩＣ６１０は、ＩＣ６１０またはＥＥＰＲＯＭ６２０の中に保
存されたパラメータへの不正アクセスを防ぐ封印／封印解除機能を含むことも出来る。パ
ック・コントローラ８００は、ｎ−ＦＥＴ６９０のゲートを高くさせる信号を信号線６８
０を通じて送り、それによりＦＥＴが閉じてＩＣ６１０とＥＥＰＲＯＭ６２０の間をコマ
ンドおよびデータが流れるようにすることも出来る。このようなデータは例えば更新され
た較正情報などを含むことも出来る。代替的な実施態様では、ｎ−ＦＥＴ６９０を必要と
しないでＩＣ６１０およびＥＥＰＲＯＭ６２０を制御するようにパック・コントローラか
らのソフトウェア・コマンドのみを用いて、ＩＣ６１０とＥＥＰＲＯＭ６２０の間のデー
タの流れを制御することも出来る。
【００６４】
パック・コントローラ
本発明のもう一つの実施態様では、バッテリー管理システムは、バッテリー管理システム
が実行する様々な機能の全般的な監視装置としての役割を果たすパック・コントローラ８
００を含む。パック・コントローラ８００は典型的には集積回路であるが、バッテリー・
パックの範囲内で利用可能なスペース量によって、同じ機能を実行する離散回路を使用す
ることもできる。
【００６５】
例えば、パック・コントローラ８００は、テキサス・インストラメンツ社が提供するＭＳ
Ｐ４３０Ｆ２４１８混合信号制御器などの低または超低電力マイクロ制御器である場合も
ある。バッテリー管理システムの様々な機能を迅速且つ効率良く実行するために、このよ
うな制御器は、無作為アクセスメモリーまたはフラッシュ・メモリーなどのメモリーを含
むことも出来る。パック・コントローラ８００は、裏側バス６３０および前面側８１０な
どの一つ以上の通信バスを通して、周辺装置、回路、またはメモリーと通信する能力も有
する。通信バスは典型的には、例えばＩ２Ｃバス（フィリップス社の商標）またはシステ
ム管理バス（ＳＭＢｕｓ）などの通信プロトコルを使用する。ＳＭＢｕｓは以下により詳
細に記述する。
【００６６】
パック・コントローラ８００の機能をプログラムするために適当なソフトウェア・コマン
ドが使用される。このようなソフトウェアは、例えばＳＭＢｕｓインターフェースなどの
通信プロトコル・インターフェースを構成するコマンドを含む。ソフトウェアは、通信線
８１０、８２０、８２２、裏側バス６３０、前面側バス８１０、および検知線８２４、並
びに図示されていないか、または将来追加される他の通信回線を通じてそれが利用できる
ようになる不可欠なバッテリー・パック・パラメータを監視するためのパック・コントロ
ーラも構成する。
【００６７】
パック・コントローラ８００は、適当にプログラムされると、例えばイベント記録装置Ｅ
ＥＰＲＯＭ９００などの一つ以上のメモリー装置とも通信する。このような記録媒体は、
例えば全充電量、全放電量、バッテリー・セルの温度、発生するあらゆる不具合、または
バッテリーの動作を管理および制御するために使用される個々のバッテリー・セルおよび
／または様々な回路に関係する他の情報などの、バッテリー・パックの充電および放電サ
イクル中に発生する様々な事象歴を保存するのに使用できる例えば６４キロバイトである
がこれに限定されないメモリーを有する。
【００６８】
パック・コントローラ８００は、例えばＥＥＰＲＯＭ１０００などのメモリーおよび／ま
たはプロセッサと通信するようにもプログラム可能である。図６に示される例示的な実施
態様では、ＥＥＰＲＯＭ１０００はバッテリー・パックによって電力を供給される機械式
圧迫装置の中に位置するか、またはバッテリー・パックの中に組み込まれてバッテリーに
よって電力を供給される装置によってアクセスされるように構成することも出来る。この
例ではパック・コントローラ８００は、機械式圧迫装置の中にあるＥＥＰＲＯＭ１０００
および／またはプロセッサと前面側バス８１０を通じて通信し、このバスがコネクタ３３
０を通して機械式圧迫装置の中の類似のバスにアクセスする。この方式により、バッテリ
ー・パックと、バッテリー・パックによって電力を供給される装置との間に双方向通信接
続が確立されるようになり、バッテリー・パックと電力供給対象装置との間の情報交換が
可能になる。例えば、更新したソフトウェアを含む更新した動作パラメータまたはコマン
ドは、バッテリー・パックが電力供給対象装置と通信を行う状態になったときに、電力供
給対象装置からバッテリー・パックにロードされることもある。同様に、イベント記録装
置ＥＥＰＲＯＭ９００の中に含まれる情報は、ＥＥＰＲＯＭ１０００、またはバッテリー
・パック中に存在するメモリーの何れかから裏側バス８１０を通じて通信するように構成
された如何なる他のメモリー（携帯メモリー装置など）へ送信することも出来る。
【００６９】
この通信能力によって、バッテリーによって電力が供給される装置以外の装置ともバッテ
リーが通信できることは理解されるであろう。例えば、典型的には、バッテリー・パック
は再充電のため、電力供給対象装置からは取り除かれる。バッテリー・パックがバッテリ
ー充電器に接続されると、メモリーまたはバッテリー・パックのメモリーから情報を検索
し、および／または更新されたデータ、情報、プログラミング・コマンド、またはソフト
ウェアを前面側バス８１０を通じてバッテリーに送信するために、バッテリー充電器を使
用することも出来る。この通信プロセスは典型的には、充電器中にあるプロセッサまたは
他の装置とバッテリー・パックのパック・コントローラ８００の間で交換されるＳＭＢｕ
ｓプロトコルなどの通信を可能にするために使用される通信プロトコルに規定された様々
なハンドシェーキング通信ダイアログを用いて管理されるであろう。幾つかの実施態様で
は、電力供給中の装置が外部電力供給にも接続されている場合には、バッテリーを電力供
給対象装置に挿入する時、バッテリーはトリクル充電されることもある。
【００７０】
本発明の更に他の実施態様では、バッテリー・パックがいつバッテリー充電器または機械
式圧迫装置などの電力供給対象装置に挿入されるかを認識する、パック・コントローラ８
００に管理された能力を含むこともある。例えば、バッテリー・パックが電力供給対象装
置に適切に搭載されたことを示すために検知回路１１００が信号線８２４を通してパック
・コントローラ８００に適当な信号を送る時のみ、ＩＣ４１０およびＩＣ５００に信号を
送りｎ−ＦＥＴ３４０、３５０、３６０のゲートに高信号を送ることによりこれらのスイ
ッチを閉じてそれによりコネクタ３３０の陽極および陰極ピンに完全なバッテリー電圧を
供給するように、パック・コントローラ８００は適切なソフトウェアおよび／またはハー
ドウェアを用いて構成可能である。
【００７１】
一つの実施態様では、パック・コントローラ８００は、バッテリーが充電器または電力供
給対象装置に適切に挿入されたときに閉じられる機械的スイッチまたはインターロックに
接続された回線を監視する。もう一つの実施態様では、パック・コントローラ８００はバ
ッテリーコネクタの一つ以上のピンに接続された信号回線を監視する。この信号回線を通
して適当な信号が受信された時に、パック・コントローラ８００は、バッテリーが充電器
または電力供給対象装置に挿入されたことを判断し、上記の通りｎ−ＦＥＴ３４０、３５
０、３６０のゲートに高信号を送る。この実施態様に特に利点があるのは、特定の信号が
受信された時のみ反応するようにパック・コントローラ８００をプログラムでき、それに
よりｎ−ＦＥＴ３４０、３５０、３６０のゲートに高信号を送る前にバッテリーを収納す
るように設計された充電器または電力供給対象装置の特定の種類または型にバッテリーが
挿入されることを保証できることである。
【００７２】
これらの実施態様には、コネクタ３３０の正極および負極を通る偶発的短絡回路発生時に
おけるバッテリーの放電が防がれるという利点がある。バッテリー・パックのセル中に保
存されるエネルギー量を考慮すると、このような放電は壊滅的になる可能性がある。従っ
てこの実施態様では、検知回路１１００に適当な信号を送るように構成された装置の中に
バッテリー・パックが適切に搭載されなければバッテリー・パックのコネクタ３３０の正
極および負極の間に電圧はなく、それによりバッテリー・パックが充電器または上記の機
械式圧迫装置などの電力供給対象装置に接続されていない時のバッテリー・パックの安全
な扱い、保存、搬送が可能になる。
【００７３】
パック・コントローラ８００は、ＥＥＰＲＯＭ９００および６２０中に保存された設定お
よびパラメータの変更を可能にするパスワード・アクセスを備え、不具合発生時において
ＬＥＤ４９０を駆動させるための適当な信号を送るようにもプログラムすることが出来る
。バッテリー管理システムに追加機能を備えるように、適当なソフトウェアおよび／また
はハードウェア・コマンドを用いて構成される追加的能力も含めることができる。例えば
、このような機能は、バッテリーに残存する合計充電量を示すディスプレイを駆動させる
ことなどを含められる。特にパック・コントローラ８００がＭＳＰ４３０Ｆ２４１８（ま
たはこの一群の制御器に含まれる別の制御器）であるときに、パック・コントローラ８０
０に組み込むことができる様々な能力のより詳細な説明は、テキサス・インストラメンツ
社が提供する「ＭＳＰ４３０Ｆ２４１ｘ、ＭＳＰ４３０Ｆ２６１ｘ混合信号マイクロ制御
器」と題する文書ＳＬＡＳ５４１Ｆ−２００７年６月；改訂２００９年１２月−に含まれ
ており、この文書全体を本文書では参考文献として挙げる。
【００７４】
スマートバス通信
以下で明らかにされる通り、本発明の様々な実施態様に組み込まれる様々なプロセッサお
よび集積回路および論理システムは、前面側バス３２０および裏側バス６３０を通じて互
いに通信する能力を有するため一つの統合システムとして機能することができる。幾つか
の実施態様では、これらのバスを通じる通信はシステム管理バス（ＳＭＢｕｓ）仕様を用
いて実行される。ＳＭＢｕｓは、ＩＣ４１０、ＩＣ  ６１０、２次的保護システム５００
、事象保存装置９００、ＥＥＰＲＯＭ１０００、パック・コントローラ８００、およびそ
の他の回路などの様々なシステム要素チップが互いに、およびシステムの残りの部分と通
信できるようにする２線インターフェースである。ＳＭＢｕｓ仕様に関する更なる情報は
、「システム管理バス（ＳＭＢｕｓ）仕様バージョン２．０」−ＳＢＳ実行者フォーラム
２０００年８月３日−に含まれており、この文書全体は本文書では参考文献として挙げる
。
【００７５】
ブースト回路
発明者らは、本発明の幾つかの実施態様において、ｎ−ＦＥＴを閉じさせるのに必要な電
圧が、バッテリー・パックから利用可能な電圧を超えることを観察してきた。例えば、１
０ボルトのバイアス電圧を要するｎ−ＦＥＴを用いると、バッテリーを充電または放電す
るためにｎ−ＦＥＴを適当な電圧が通るようにするのに十分なほどｎ−ＦＥＴを駆動させ
るためのバッテリー電圧が、バイアス電圧の駆動電圧に加えてｎ−ＦＥＴには必要である
。従って、バッテリー・セルによって供給される電流をｎ−ＦＥＴが伝導できるようにす
るために、ｎ−ＦＥＴのゲートに供給される電圧を上げるための電圧ブースト回路が含ま
れる。
【００７６】
当業者は、本発明におけるｎ−ＦＥＴの使用によってブースト回路などの複雑な回路が必
要になることを理解するであろう。このような複雑性はｐ−ＦＥＴの使用によって取り除
くことができる。しかし、単一のｎ−ＦＥＴによって処理できるのと同じ電流を処理する
には幾つかのｐ−ＦＥＴが必要かもしれないので、ｐ−ＦＥＴの使用は不利であることが
明らかになっている。更に、複数のｐ−ＦＥＴの使用により生成される熱のため、熱を発
散させるための一つ以上のヒートシンクを追加する必要があるかもしれず、これにより小
型バッテリー内で利用可能な以上のスペースが必要となる場合もある。その上、ｐ−ＦＥ
Ｔはｎ−ＦＥＴの少なくとも２倍のオン抵抗を有することが良く知られており、これによ
りバッテリー・パックの全般的内部抵抗が増加するであろう。
【００７７】
データの伝染式送信
図６を再度参照し、バッテリー・パック３００は、様々なプロセッサと、例えばパックコ
ントローラ８００、１次保護回路４１０、ＩＣ５１０のようなコントローラ、およびＥＥ
ＰＲＯＭ１０００、ＥＥＰＲＯＭ９００、ＥＥＰＲＯＭ６２０、その他のようなメモリー
を含む。プロセッサは、バッテリーの動作を制御するよう構成され、メモリーは、バッテ
リーの動作に使用される動作パラメータおよび／またはプロセッサがソフトウェア設計者
によって必要とされるタスクを実行するためにプロセッサをプログラムし制御するのに使
用されるソフトウェアプログラミング、およびその他のデータと情報を保存するよう構成
されている。更に、メモリーは、例えば、パラメータまたはソフトウェアの特定のバージ
ョンに関連するバージョン数などの、動作パラメータおよび／またはソフトウェアに関係
する、または関連する情報を保存してもよく、またはメモリは、また、バッテリーまたは
機器の使用、バッテリー、充電器またはバッテリーの電力供給対象機器の性能特性または
システム構成に関連するデータ、およびバッテリー、充電器またはバッテリーの電力供給
対象機器の動作に関係のある保守データを累積し、保存するのに使用されることもある。
【００７８】
更に、保存されたデータと、充電器またはバッテリーの電力供給対象である機器に、また
はそれらからバッテリーに転送されるデータも、バッテリーが接続された状態にあった個
別のバッテリーまたは機器に関係する履歴情報を含むことができ、そこにおいて、データ
は、個別のバッテリー、充電器、または機器の動作履歴および／または性能を判断するた
めに分析することの出来る識別子を含む。いくつかの実施態様においては、データは、ま
た、充電器または機器の位置を知る必要がある場合に備えて、充電器と装置の位置探しを
容易にするため充電器または機器の位置を識別する位置データ含むこともある。
【００７９】
本発明の様々な実施態様の恩恵を蒙るかもしれない、バッテリーの電力供給対象機器の例
は、バッテリー駆動医療装置、除細動器、機械的圧迫機器、および、典型的には有線また
は無線通信ネットワークに接続されていないが、それでも、装置または機器が、入手可能
な最新データ、構成情報、性能仕様、動作パラメータ、およびソフトウェアプログラムで
動作していることを確実にするため、定期的に追跡および／または更新される必要がある
他の機器を含むが、これらに限られない。
【００８０】
機器に電力供給するのに再充電式バッテリーを使用するシステムの１つの共通要素は、バ
ッテリーは再充電の必要があることである。機器が携帯用に設計されている場合、バッテ
リーを使用する機器の重量を節減するため、バッテリーを機器外で充電することができる
よう、しばしば、バッテリーは機器から取外し可能である。このため、携帯機器は、バッ
テリー充電回路を含む必要がない。
【００８１】
バッテリーは、典型的には、再充電のため、専用のバッテリー充電器に挿入される。本発
明の１つの実施態様において、充電器は、プロセッサとメモリーを含む。プロセッサは、
プロセッサに埋め込まれるソフトウェアコマンドによって制御され、またはそれらはメモ
リーに保存され必要に応じてプロセッサによってメモリーから取り出すことも出来る。か
かるプログラミングと制御スキームは当業者に良く知られているので、ここでは詳細は説
明しない。
【００８２】
本発明の様々な実施態様を活用して、バッテリーは、バッテリーのメモリー内に保存され
る動作パラメータまたはソフトウェアコマンドの更新された改訂版を持つこともある。「
更新された」バッテリーが充電器に挿入されると、バッテリーのプロセッサ、充電器、ま
たはその双方が、バッテリーのメモリー中の動作パラメータまたはソフトウェアのバージ
ョンを充電器のメモリーに存在するバージョンと照合する。バッテリーのバージョンが、
充電器のメモリーに保存されたバージョンより新しければ、充電器のメモリーは、バッテ
リーに存在する動作パラメータおよび／またはソフトウェアの更新バージョンに更新され
る。
【００８３】
別の態様として、充電器のメモリーに存在する動作パラメータおよび／またはソフトウェ
アのバージョンが、バッテリーのメモリーに保存するバージョンよりも新しい場合には、
充電器に保存されている動作パラメータおよび／またはソフトウェアの新しい方のバージ
ョンがバッテリーにダウンロードされる。このようにして、動作パラメータおよび／また
はソフトウェアプログラムの更新バージョンが、機器の電力供給に使用されるバッテリー
全体を通して伝播されることができる。
【００８４】
本発明の他の実施態様では、バッテリーは、バッテリーおよび／または機器の使用の間に
発生するデータを配布または取り出すキャリアとして使用されることができる。かかるデ
ータは、例えば、動作履歴データ、保守データ、その他同種類のものを含むこともあるが
、これらに限られない。
【００８５】
更に他の実施態様においては、１つ以上の充電器またはバッテリーの電力供給対象機器は
、インターネット、他の有線もしくは無線のネットワーク、または通信ラインなどの通信
システムを通して、集中ネットワークまたはサーバーと通信状態にある場合もある。この
ようにして、更新データ、動作パラメータ、構成情報およびソフトウェアプログラムは、
ネットワークまたはサーバーと通信状態にある前記１つ以上の充電器および／または機器
に、例えば、ネットワークまたはサーバー上の、適切なソフトウエアによって好適に構成
されたプロセッサによって送り出すことも出来る。別の態様として、ネットワークまたは
サーバから充電器または機器にダウンロードしなければならない更新されたデータ、動作
パラメータ、構成情報、およびソフトウェアプログラムがネットワークまたはサーバ上に
あるか判断するため、１つ以上の充電器または機器は、定期的にネットワークまたはサー
バーにクエリを行ってもよく、そうならば、更新されたデータ、動作パラメータ、構成情
報、およびソフトウェアプログラムをネットワークまたはサーバから受容し、それらを充
電器または機器のメモリーに保存する。バッテリーが次に、更新されたデータ、動作パラ
メータ、構成情報、およびソフトウェアプログラムをそのメモリーに保存させた充電器ま
たは機器に挿入された場合には、更新されたデータ、動作パラメータ、構成情報、および
ソフトウェアプログラムは、該バッテリーのメモリーにダウンロードされる。バッテリー
が次に、更新されたデータ、動作パラメータ、構成情報、およびソフトウェアプログラム
をメモリーに持たない充電器または機器に挿入された場合には、バッテリーは、更新され
たデータ、動作パラメータ、構成情報、およびソフトウェアプログラムを、充電器または
機器のメモリーにアップロードし、このようにして、更新されたデータ、動作パラメータ
、構成情報、およびソフトウェアプログラムを充電器とバッテリー供給対象機器のユーザ
ーベース中に迅速に配布するのを容易にする。
【００８６】
図７は、本発明の様々な実施態様に従う、バッテリーのキャリアとしての使用の概略図で
ある。更新されたデータ、情報、またはソフトウェアプログラミング（以降まとめて「デ
ータ」と呼ばれる）１３０５は、充電器１３１０に伝達される。データ１３０５は、充電
器１３１０に、充電器１３０５と通信状態にあるコンピュータによって伝達することも出
来る。別の態様として、充電器１３１０は、ネットワーク、サーバ、または他のデータ源
に接続されることもある。
【００８７】
他の別の実施態様においては、バッテリーＡ１３１５は、データ１３０５を含み、そして
バッテリーＡ１３１５  が充電器１３１０に再充電のために挿入されたとき、データ１３
０５を充電器１３１０に伝達することも出来る。本実施態様においては、破線１３２５に
よって示されるように、更新されたデータ１３０５は、バッテリー１３１５が電力供給対
象装置１３２０に挿入されたとき、電力供給対象装置中のプロセッサによってバッテリー
のメモリーに保存されたかもしれない。
【００８８】
データ１３０５が充電器１３１０のメモリーに移されると、充電器１３１０に次に挿入さ
れるバッテリー、この場合は、バッテリーＢ１３３０は、バッテリー１３３０のメモリー
がデータ１３０５をすでに含まない場合には、データ１３０５のためのキャリアとなるこ
ともある。データ１３０５がバッテリーＢ１３３０  のメモリーに存在する古いデータの
新しいバージョンであるとすると、パックコントローラ８００のようなバッテリーのプロ
セッサは、充電器１３１０からバッテリーＢ１３３０のメモリーへのデータ１３０５のダ
ウンロードを制御する。
【００８９】
バッテリーＢ１３３０が電力供給対象装置１３２０に挿入されると、装置１３２０のプロ
セッサおよびバッテリーＢ１３３０は、装置１３２０のメモリーに保存されたデータがバ
ッテリーＢ１３３０のメモリーに保存されたメモリーのバージョンより古いか新しいか判
断するため通信する。装置１３２０のメモリーに保存されたデータがバッテリーＢ１３３
０のメモリーに保存されたメモリーのバージョンより古い場合には、データ１３０５が、
バッテリーＢ１３３０のメモリーから装置１３２０にアップロードされる。装置１３２０
のメモリーに保存されたデータがデータ１３０５より新しいバージョンの場合には、プロ
セッサは、データ１３０５の新しいバージョンをバッテリーＢ１３３０にダウンロードし
て、他の装置、充電器およびバッテリーへの更なる転送のためにデータ１３０５を入れ替
えるよう決定してもよいし、または、プロセッサは、転送をしないよう決定してもよく、
そしてデータ１３０５は装置１３２０にアップロードされない。
【００９０】
バッテリーＢ１３３０がそのメモリー中にデータ１３０５の最新バージョンを持つ場合、
バッテリーＢ１３３０が次に、例えば充電器１３３５のような充電器に挿入されると、プ
ロセスが反復され、バッテリーＢ１３３０または充電器１３３５が前記データの最新バー
ジョンをもつかどうか判断するため、バッテリーＢ１３３０のプロセッサが充電器１３３
５のプロセッサと通信する。この判断に応じて、バッテリーＢ１３３０のメモリーが、充
電器１３３５のメモリーにアップロードされ、これが今度は、バッテリーＣ１３４０のよ
うな他のバッテリーのデータを更新するのに利用可能状況になるか、または、データの新
しいバージョンが、充電器１３３５からバッテリーＢ１３３０にダウンロードされる。
【００９１】
バッテリーＢ１３３０がデータ１３０５を充電器１３３５のメモリーにアップロードした
場合、充電器１３３５に挿入された次のバッテリー、ここでは、バッテリーＣ１３４０  
は、充電器１３３５に挿入されたとき、そのメモリー中のデータを再度更新することも出
来る。バッテリーＣ１３４０は、それから、バッテリーＣ１３４０が装置１３３５に挿入
されたとき、更新されたデータ１３０５をバッテリー供給対象装置１３４５に送信するこ
とも出来る。
【００９２】
この工程は、伝染させながら継続し、つまり、それは、更新されたデータを充電器からバ
ッテリー、バッテリーからバッテリー供給対象装置へと自動的に広め、各バッテリー、充
電器、そしてバッテリー供給対象装置が最新のデータ、情報、および／またはソフトウェ
アプログラミングを使用して動作することを確実にする役に立つ。
【００９３】
本発明の幾つか特定の形態を示し記述してきたが、本発明の精神および範囲から逸脱する
ことなく様々な変更が可能であることは明らかであろう。
【００９４】
また、上述した幾つか特定の形態に基づけば、本発明は以下のような発明を含むことが明
らかである。即ち、
バッテリーのようなデータキャリアであって、
前記データキャリアとは別のデータキャリアに関連するメモリーおよび前記データキャリ
アの電力供給対象として構成された別の装置に関連するメモリーのデータ、動作パラメー
タおよび／またはソフトウェアコマンドを伝染式に更新するために使用されるデータキャ
リアとして使用されることを特徴とし、
データ、動作パラメータおよび／またはソフトウェアコマンドの第１のセットであって、
第１の日付またはバージョンに関連することを特徴とするデータ、動作パラメータおよび
／またはソフトウェアコマンドの第１のセットを保存しているバッテリーのメモリーと、
前記データキャリアから電力を供給されるように構成された装置のプロセッサおよびメモ
リーと交信するための通信インターフェースであって、該装置のメモリーは、データ、動
作パラメータおよび／またはソフトウェアコマンドの第２のセットを保存しており、デー
タ、動作パラメータおよび／またはソフトウェアコマンドの第２のセットは第２の日付ま
たはバージョンと関連することを特徴とする通信インターフェースと、
前記バッテリーのメモリーおよび前記通信インターフェースと動作可能に接続されたバッ
テリーのプロセッサであって、
前記装置のプロセッサにクエリを行って、該装置のメモリーに保存されたデータ、動作パ
ラメータおよび／またはソフトウェアコマンドの第２のセットの第２の日付またはバージ
ョンを取り出し、
前記装置のメモリーに保存されているデータ、動作パラメータおよび／またはソフトウェ
アコマンドの第２のセットの第２の日付またはバージョンと前記バッテリーのメモリーに
保存されているデータ、動作パラメータおよび／またはソフトウェアコマンドの第１のセ
ットの第１の日付またはバージョンと比較し、前記第１の日付またはバージョンが前記第
２の日付またはバージョンよりも新しい場合、前記バッテリーのメモリーに保存されてい
るデータ、動作パラメータおよび／またはソフトウェアコマンドの第１のセットを、前記
装置のメモリーにアップロードすることを特徴とするバッテリーのプロセッサとを含み、
前記装置のプロセッサは、データ、動作パラメータおよび／またはソフトウェアコマンド
の第２のセットの第２の日付またはバージョンが前記バッテリーのメモリーに保存されて
いるデータ、動作パラメータおよび／またはソフトウェアコマンドの第１のセットの第１
の日付またはバージョンよりも新しい場合、該バッテリーのメモリーにデータ、動作パラ
メータおよび／またはソフトウェアコマンドの第２のセットをダウンロードして該バッテ
リーのメモリーを更新して、該バッテリーのメモリーに保存されているデータ、動作パラ
メータおよび／またはソフトウェアコマンドの第１のセットを、該装置のメモリーからダ
ウンロードしたデータ、動作パラメータおよび／またはソフトウェアコマンドの第２のセ
ットで置き換える
ことを特徴とするデータキャリア。
【図１】
2019037130.tif 000003
【図２】
2019037130.tif 000004
【図３】
2019037130.tif 000005
【図４Ａ】
2019037130.tif 000006
【図４Ｂ】
2019037130.tif 000007
【図５】
2019037130.tif 000008
【図６】
2019037130.tif 000009
【図６−ａ】
2019037130.tif 000010
【図６−ｂ】
2019037130.tif 000011
【図６−ｃ】
2019037130.tif 000012
【図６−ｄ】
2019037130.tif 000013
【図７】
2019037130.tif 000014
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
データ、動作パラメータおよび／またはソフトウェアを更新するシステムであって、
データ、動作パラメータおよび／またはソフトウェアコマンドを保存するように構成されたバッテリーメモリーを有するバッテリーと、
前記バッテリーメモリーと動作可能に通信するように構成された装置であって、装置のプロセッサと装置のメモリーをさらに有し、前記バッテリーにより充電され、前記装置のプロセッサは前記動作の履歴や前記装置の使用と関係する情報を監視するようにプログラムされ、当該情報を第１のデータとして前記装置のメモリーに保存するように構成された装置と、
充電器のプロセッサと充電器のメモリーを有する充電器であって、前記充電器のプロセッサは、前記バッテリーが前記充電器に挿入されたときに前記バッテリーメモリーと通信を確立するように構成された充電器とを含み、
前記装置のプロセッサは、前記バッテリーとの通信が確立されたときに、前記装置から前記バッテリーに前記第１のデータを送るようにプログラムされ、
前記装置のプロセッサは前記第１のデータと前記バッテリーメモリーに保存された第２のデータとを比較し、もし前記第１のデータが前記バッテリーメモリーに保存された前記第２のデータよりも新しければ、前記第１のデータを前記バッテリーメモリーに保存し、
前記バッテリーが前記装置との通信から取り除かれ、前記充電器と通信状態に置かれたときは、前記充電器のプロセッサは前記バッテリーメモリーからの前記第２のデータと前記充電器のメモリーに保存された第３のデータとを比較し、もし前記バッテリーからの前記第２のデータが前記充電器のメモリーに保存された前記第３のデータよりも新しければ、前記充電器のプロセッサは前記充電器のメモリーの前記第２のデータを保存するようにプログラムされ、
前記充電器のプロセッサがサーバのプロセッサと通信を確立するように構成され、前記充電器のメモリーに保存された前記第３のデータが前記サーバに伝達され、前記サーバのプロセッサは前記伝達された第３のデータとサーバのメモリーに保存された第４のデータとを比較するようにプログラムされ、もし前記伝達された第３のデータが前記サーバのメモリーに保存された前記第４のデータよりも新しければ、前記サーバのプロセッサは前記伝達された第３のデータを前記サーバのメモリーに保存するようにプログラムされたものである、
システム。
【請求項２】
前記装置のメモリーに保存された前記第１のデータは、特定の装置と関連した装置の識別子を含む、請求項１に記載のシステム。
【請求項３】
前記バッテリーのメモリーに保存された前記第２のデータと、前記充電器のメモリーに保存された前記第３のデータ、および前記サーバのメモリーに保存された前記第４のデータは、前記装置と関連した前記装置の識別子を含む、請求項２に記載のシステム。
【請求項４】
前記バッテリーのメモリー、前記充電器のメモリー、および前記サーバのメモリーは複数の第２のデータ、第３のデータ、および第４のデータを保存するように構成され、前記装置の識別子によって識別可能な前記第２のデータ、第３のデータおよび第４のデータのそれぞれは、前記バッテリーのプロセッサ、充電器のプロセッサ、およびサーバのプロセッサが、前記バッテリーのメモリー、充電器のメモリー、およびサーバのメモリーに保存された複数の第２のデータ、第３のデータ、および第４のデータのそれぞれを識別できるように、前記第２のデータ、第３のデータ、および第４のデータのそれぞれと関連付けられた、請求項３に記載のシステム。
【請求項５】
前記バッテリーのプロセッサは、前記装置のプロセッサと通信が確立されたときに、前記装置の識別子を含む前記データを前記装置から取り出し、前記バッテリーのメモリーに保存された前記第２のデータの１つが、前記装置から取り出された前記装置の識別子と同じ装置の識別子を含むかどうか決定するようにプログラムされ、
もし決定が正しければ、前記プロセッサは前記取り出したデータと前記バッテリーのメモリーに保存された前記識別された第２のデータとを比較し、もし前記取り出したデータが前記バッテリーのメモリーに保存された前記識別された第二のデータよりも新しければ、前記取り出したデータを前記バッテリーのメモリーに保存し、前記バッテリーのメモリーにある識別された第２のデータを前記取り出したデータと置き換えて前記バッテリーのメモリーにある前記第２のデータを更新し、
もし決定が誤りであれば、前記バッテリーのプロセッサは前記装置の識別子を含む前記取り出したデータを新しいデータとして前記バッテリーのメモリーに保存する、請求項４に記載のシステム。
【請求項６】
前記充電器のプロセッサは、前記バッテリーのメモリーに保存された前記複数の第２のデータのそれぞれと関連した前記装置の識別子を取り出し、どの前記取り出した装置の識別子が前記充電器のメモリーに保存された前記複数の第３のデータの１つと関連しているかを決定し、前記決定された装置の識別子のそれぞれについて、前記第２のデータと前記充電器のメモリーに保存された前記第３のデータとを比較し、もし前記第２のデータが前記第３のデータよりも新しければ、前記第２のデータを前記充電器のメモリーに保存し、前記第３のデータを前記第２のデータと置き換えるようにプログラムされ、
もし前記決定が前記複数の装置の識別子の１またはそれ以上について誤りであれば、前記充電器のプロセッサは前記誤った決定と関連した前記第２のデータを、新しい第３のデータとして前記充電器のメモリーに保存するようにプログラムされた、請求項５に記載のシステム。
【請求項７】
前記サーバのプロセッサは前記充電器のメモリーに保存された前記複数の第３のデータのそれぞれと関連した前記装置の識別子を取り出し、どの前記取り出した装置の識別子が前記サーバのメモリーに保存された前記複数の第４のデータの１つと関連しているかを決定し、前記決定された装置の識別子のそれぞれについて、前記第３のデータと前記サーバのメモリーに保存された前記第４のデータとを比較し、もし前記第３のデータが前記第４のデータよりも新しければ、前記第３のデータを前記サーバのメモリーに保存し、前記第４のデータを前記第３のデータと置き換えるようにプログラムされ、
もし前記決定が前記複数の装置の識別子の１またはそれ以上について誤りであれば、前記サーバのプロセッサは前記誤った決定と関連した前記第３のデータを、新しい第４のデータとして前記サーバのメモリーに保存するようにプログラムされた、請求項６に記載のシステム。
【請求項８】
データ、動作パラメータおよび／またはソフトウェアを更新するシステムであって、
バッテリーのメモリーと動作可能に通信するように構成された装置であって、装置のプロセッサと装置のメモリーをさらに有し、前記装置のプロセッサは前記装置の前記動作の履歴や装置の使用と関係する情報を監視するようにプログラムされ、当該情報を第１のデータとして前記装置のメモリーに保存し、前記第１のデータを特定の装置と関連する装置の識別子と関係づけるように構成された装置と、
特定の装置と関連した前記装置の識別子と関連した第２のデータを保存するように構成されたバッテリーのメモリーと、動作パラメータおよび／またはソフトウェアコマンドを有するバッテリーと、
充電器のプロセッサと充電器のメモリーを有する充電器であって、前記充電器のプロセッサは、前記バッテリーが前記充電器に挿入されたときに前記バッテリーのメモリーと通信を確立するように構成され、前記充電器のメモリーは特定の装置の前記装置の識別子と関連のある第３のデータを保存するように構成された充電器と、
サーバのプロセッサとサーバのメモリーを有するサーバであって、前記サーバのプロセッサは、前記充電器のプロセッサと通信を確立するようにプログラムされ、前記サーバのメモリーは特定の装置の前記装置の識別子と関連のある第４のデータを保存するように構成されたサーバとを含み、
前記装置のプロセッサは前記バッテリーのメモリーと通信を確立したときに、前記バッテリーのメモリーから前記第２のデータを取り出し、前記バッテリーのメモリーに保存された前記第２のデータが、前記装置から取り出した前記装置の識別子と同じ装置の識別子を含むかどうか決定するようにプログラムされ、
もし決定が正しければ、前記装置のプロセッサは前記取り出した第１のデータと前記バッテリーのメモリーに保存された前記識別された第２のデータとを比較するようにプログラムされ、もし前記取り出したデータが前記バッテリーのメモリーに保存された前記識別された第２のデータよりも新しければ、前記装置のプロセッサは前記取り出した第１のデータを前記バッテリーのメモリーに保存するようにプログラムされ、
もし決定が誤りであれば、前記装置のプロセッサは前記装置の識別子を含む前記取り出した第１のデータを、新しい第２のデータとして前記バッテリーのメモリーに保存するようにプログラムされ、
前記充電器のプロセッサは前記バッテリーのメモリーに保存された前記第２のデータと関連のある前記装置の識別子を取り出し、前記取り出した装置の識別子が前記充電器のメモリーに保存された前記第３のデータと関連があるかどうか決定するようにプログラムされ、前記充電器のプロセッサが前記第２のデータと前記充電器のメモリーに保存された前記第３のデータとを比較し、もし前記第２のデータが前記第３のデータよりも新しければ、前記第２のデータを前記充電器のメモリーに保存するようにプログラムされ、
もし前記装置の識別子について決定が誤りであれば、前記充電器のプロセッサは誤りの決定と関連した前記第２のデータを、新しい第３のデータとして前記充電器のメモリーに保存するようにプログラムされ、
前記サーバのプロセッサが前記充電器のメモリーに保存された前記第３のデータと関連した前記装置の識別子を取り出し、前記取り出した装置の識別子が前記サーバのメモリーに保存された前記第４のデータと関連するかどうか決定するようにプログラムされ、前記サーバのプロセッサは前記第３のデータを前記サーバのメモリーに保存された前記第４のデータと比較し、もし前記第３のデータが前記第４のデータよりも新しければ、前記第３のデータを前記サーバのメモリーに保存するようにプログラムされ、
もし前記装置の識別子について決定が誤りであれば、前記サーバのプロセッサは誤りの決定と関連した前記第３のデータを、新しい第４のデータとして前記サーバのメモリーに保存するようにプログラムされた、
システム。
【請求項９】
前記装置は前記充電器で充電されるように構成されたものである、請求項１に記載のシステム。
【請求項１０】
前記装置は前記充電器で充電されるように構成されたものである、請求項８に記載のシステム。
【請求項１１】
前記充電器のプロセッサは前記サーバのプロセッサとネットワーク接続により通信するものである、請求項１に記載のシステム。
【請求項１２】
前記ネットワーク接続はワイヤレスのネットワーク接続である、請求項１１に記載のシステム。
【請求項１３】
前記充電器のプロセッサは前記サーバのプロセッサとネットワーク接続により通信するものである、請求項８に記載のシステム。
【請求項１４】
前記ネットワーク接続はワイヤレスのネットワーク接続である、請求項１３に記載のシステム。
【請求項１５】
前記装置は胸部圧迫装置である、請求項１に記載のシステム。
【請求項１６】
前記装置は胸部圧迫装置である、請求項８に記載のシステム。